(57)【要約】【課題】家庭で洗濯することが難しい衣類の脱臭を安価で手軽に行えるようにする。【解決手段】洗濯機に、送風機１０とヒータ１１で構成した温風送風手段およびスチーム供給装置２２を設け、前記温風送風手段からの温風と、前記スチーム供給装置２２からのスチームとにより、洗濯することなく衣類の脱臭を行うようにしたものである。【選択図】  図１
2004167131.tif 000002
【特許請求の範囲】
【請求項１】
筐体と、前記筐体に弾性的に支持された外槽と、前記外槽内に回転自在に支持した内槽と、前記内槽を駆動する駆動手段と、前記内槽内に温風を送風する温風送風手段と、前記内槽内にスチームを供給するスチーム供給装置とを備え、前記温風送風手段からの温風と、前記スチーム供給装置からのスチームとにより衣類の脱臭を行うようにした洗濯機。
【請求項２】
筐体と、前記筐体に弾性的に支持された外槽と、前記外槽内に回転自在に支持した内槽と、前記内槽を駆動する駆動手段と、前記内槽内に温風を送風する温風送風手段と、前記内槽内に霧を噴霧する噴霧装置とを備え、前記温風送風手段からの温風と、前記噴霧装置からの霧とにより衣類の脱臭を行うようにした洗濯機。
【請求項３】
内槽内に外気を取り入れる吸気口と、前記内槽内の空気を機外へ排出する排気口を設けた請求項１または２記載の洗濯機。
【請求項４】
内槽内の上部に衣類を設置する棚を設けた請求項１〜３のいずれか１項に記載の洗濯機。
【請求項５】
内槽内に衣類を吊すことができるようにした請求項１〜３のいずれか１項に記載の洗濯機。
【請求項６】
内槽内に棒状体を設けて衣類を吊すようにした請求項５記載の洗濯機。
【請求項７】
脱臭行程中に内槽を回転するようにした請求項１〜６のいずれか１項に記載の洗濯機。
【請求項８】
温風温度検知手段と、前記温風温度検知手段により脱臭行程中に温風の温度を所定の温度に制御する制御手段を設けた請求項１〜７いずれか１項に記載の洗濯機。
【請求項９】
芳香手段を設け、脱臭行程の最後に芳香剤を噴霧するようにした請求項１〜８いずれか１項に記載の洗濯機。
【発明の詳細な説明】
【０００１】
【発明の属する技術分野】
本発明は一般家庭において使用する洗濯機に関するものである。
【０００２】
【従来の技術】
従来、一般的な洗濯機は図９に示すように構成していた。以下、その構成について説明する。
【０００３】
図９に示すように、筐体５１は、内部に複数のサスペンション５２によって弾性的に吊り下げた外槽５３を設け、脱水時の振動をサスペンション５２によって吸収する構成としている。外槽５３の内部には、洗濯物および乾燥対象物（以下、衣類という）を収容する内槽５４を中空で２重構造とした洗濯・脱水軸５５を中心に回転可能に配設し、内槽５４の内底部に衣類を攪拌する回転翼５６を回転自在に配設している。また、内槽５４の内部周壁には小孔（図示せず）を多数設けるとともに、上方には流体バランサ５７を設けている。
【０００４】
モータ（駆動手段）５８は、外槽５３の底部に取り付け、洗濯または脱水時に回転力の伝達を洗濯・脱水軸５５に切り換えるクラッチ５９と洗濯・脱水軸５５を介して、内槽５４または回転翼５６に連結している。回転翼５６は外周部に外周方向に高くなる傾斜面を有する略Ｗ型の形状をし、攪拌用突出リブを形成して、乾燥行程においては、衣類を回転翼５６の回転による遠心力で傾斜面に沿って上方へと舞い上がりやすくするともに、略Ｗ型の内壁に設けた小孔（図示せず）より、衣類を通った温風が抜けるようにしている。
【０００５】
乾燥用送風機６０は、ヒータ６１により加熱された温風を伸縮自在の上部蛇腹状ホース６２を通して温風噴出口６３より内槽５４内に送風するもので、筐体５１の略上方に設けており、乾燥用送風機６０とヒータ６１とで温風送風手段を構成している。循環路６４は、湿った温風の除湿を行うもので、一端を外槽５３の排水経路口６５に接続した下部蛇腹状ホース６６に接続し、他端を乾燥用送風機６０に接続している。
【０００６】
排水弁６７は、外槽５２の底部に固定し、下部蛇腹状ホース６６と循環路６４からの排水を排水路６８を通して排水弁６７に導き、排水ホース６９から機外へ排水するように構成している。外槽カバー７０は外槽５３の上面を気密的に覆うもので、この外槽カバー７０に中蓋７１を開閉自在に設け、衣類の出し入れを行うようにしている。
【０００７】
上記構成において動作を説明する。洗濯行程では、中蓋７１を開けて、内槽５４内に衣類と水または湯および洗剤を投入し、運転を開始すると給水弁（図示せず）を開いて所定の水位まで給水した後、モータ５８を駆動する。このとき、伝達機構部のクラッチ５９を洗濯側に設定して、モータ５８の動力を洗濯軸を介して回転翼５６に伝達し、回転翼５６が回転することで、衣類が回転翼５６の攪拌用突出リブに引っかかり、中心部へ引き込まれる。内槽５４の中心下層部の衣類は、引き込まれた衣類により、内槽５４の上層部へ押し上げられる。このようにして内槽５４内の衣類を撹拌して、衣類同士、または内槽５４、回転翼５６との接触による摩擦により洗濯する。
【０００８】
脱水行程では、洗濯終了後、排水弁６７を開いて内槽５４内の水を排水した後、伝達機構部のクラッチ５９を脱水側に切り換えて、モータ５８の動力を脱水軸を介し内槽５４に伝達して回転させ、衣類に遠心力を与えることにより、水分を衣類から分離することで行う。
【０００９】
乾燥行程は、排水弁６７を開くとともに、モータ５８を駆動して回転翼５６を回転させ、衣類に遠心力を与えることにより、衣類を外へはね飛ばすようにする。すると回転翼５６の傾斜面で衣類を上方へはね上げようとする力が働き（遠心力の分力）、衣類が攪拌される。この攪拌を繰り返しながら乾燥用送風機６０による送風とヒータ６１による発熱により、上部蛇腹状ホース６２を通して内槽５４の上方より内槽５４内へ温風を送り込む。この温風は、衣類の水分を奪った後、内槽５４から外槽５３の内側へ出た後、下部蛇腹状ホース６６を通過して、循環路６４へ至る。
【００１０】
衣類の水分を奪って湿気を含んだ温風が、外槽５３の内壁や循環路６４内を通過しているとき、その内部では、水分の結露が起こり、湿った温風は除湿されて乾燥用送風機６０へ戻る。この循環路６４で温風を循環させることにより、内槽５４内の衣類を乾燥させることができる。
【００１１】
また、衣類の脱臭を行う衣類リフレッシュ装置も考えられている（例えば、特許文献１参照）。しかしながら、この装置では洗濯を行うことができず、しかも、脱臭装置を設けることで脱臭をおこなっており、高価な装置になる。
【００１２】
【特許文献１】
特許第３１０６５３７号公報
【００１３】
【発明が解決しようとする課題】
一般に衣類についた臭いは、洗濯をすることによって汚れとともに臭いも除去することができるが、スーツや、コートなど一般家庭で洗濯が難しい衣類についた臭いは、これまでクリーニングに出したり、アイロンのスチームを当てることによって脱臭していたが、費用や手間がかかるといった課題があった。特に、家庭でアイロンのスチームを当てた場合は、衣類に含んだ水分を蒸発させるために衣類を長時間室内に吊り下げておく必要があった。
【００１４】
本発明は上記課題を解決するもので、家庭で洗濯することが難しい衣類の脱臭が安価で手軽に行えるようにすることを目的としている。
【００１５】
【課題を解決するための手段】
上記の課題を解決するために本発明は、洗濯機に温風送風手段およびスチーム供給装置を設け、前記温風送風手段からの温風と、前記スチーム供給装置からのスチームとにより衣類の脱臭を行うようにしたものである。
【００１６】
これにより、家庭で洗濯することが難しい衣類の脱臭が安価で手軽に行うことができ、衣類を快適な状態にして着用または保管することができる。
【００１７】
【発明の実施の形態】
本発明の請求項１に記載の発明は、筐体と、前記筐体に弾性的に支持された外槽と、前記外槽内に回転自在に支持した内槽と、前記内槽を駆動する駆動手段と、前記内槽内に温風を送風する温風送風手段と、前記内槽内にスチームを供給するスチーム供給装置とを備え、前記温風送風手段からの温風と、前記スチーム供給装置からのスチームとにより衣類の脱臭を行うようにしたものであり、スチームを衣類に吹き付けるとともに温風を送風することにより、衣類に供給した水分を蒸発させることによって繊維についた臭いを取り除くことができ、家庭で洗濯することが難しい衣類の脱臭が安価で手軽に行うことができ、快適な衣類の状態にして着用または保管することができる。
【００１８】
請求項２に記載の発明は、筐体と、前記筐体に弾性的に支持された外槽と、前記外槽内に回転自在に支持した内槽と、前記内槽を駆動する駆動手段と、前記内槽内に温風を送風する温風送風手段と、前記内槽内に霧を噴霧する噴霧装置とを備え、前記温風送風手段からの温風と、前記噴霧装置からの霧とにより衣類の脱臭を行うようにしたものであり、霧を衣類に噴霧するとともに温風を送風することにより、衣類に供給した水分を蒸発させることによって繊維についた臭いを取り除くことができ、家庭で洗濯することが難しい衣類の脱臭が安価で手軽に行うことができ、快適な衣類の状態にして着用または保管することができる。
【００１９】
請求項３に記載の発明は、上記請求項１または２に記載の発明において、内槽内に外気を取り入れる吸気口と、前記内槽内の空気を機外へ排出する排気口を設けたものであり、衣類と接触した脱臭後の汚れた空気を排出し、新鮮な外気を取り入れて、衣類についた臭いを短時間で効率よく取り除くことができる。
【００２０】
請求項４に記載の発明は、上記請求項１〜３に記載の発明において、内槽内の上部に衣類を設置する棚を設けたものであり、温風送風口に近い位置に衣類をおくことができ、衣類についた臭いを短時間で効率よく取り除くことができる。
【００２１】
請求項５に記載の発明は、上記請求項１〜３に記載の発明において、内槽内に衣類を吊すことができるようにしたものであり、温風とスチームまたは霧を衣類に向けて万遍なく当てることができ、衣類についた臭いを短時間で効率よく取り除くことができる。
【００２２】
請求項６に記載の発明は、上記請求項５に記載の発明において、内槽内に棒状体を設けて衣類を吊すようにしたものであり、衣類についた臭いを短時間で効率よく取り除くことができる。
【００２３】
請求項７に記載の発明は、上記請求項１〜６に記載の発明において、脱臭行程中に内槽を回転するようにしたものであり、温風とスチームまたは霧を衣類に向けて万遍なく当てることができ、衣類についた臭いを短時間で効率よく取り除くことができる。
【００２４】
請求項８に記載の発明は、上記請求項１〜７に記載の発明において、温風温度検知手段と、前記温風温度検知手段により脱臭行程中に温風の温度を所定の温度に制御する制御手段を設けたものであり、熱による衣類の傷みを少なくして、衣類についた臭いを短時間で効率よく取り除くことができる。
【００２５】
請求項９に記載の発明は、上記請求項１〜８に記載の発明において、芳香手段を設け、脱臭行程の最後に芳香剤を噴霧するようにしたものであり、衣類を一層快適な状態にすることができる。
【００２６】
【実施例】
以下、本発明の実施例について、図面を参照して説明する。
【００２７】
（実施例１）
図１に示すように、筐体１は、内部に複数のサスペンション２によって弾性的に吊り下げた外槽３を設け、洗濯・脱水時の振動をサスペンション２によって吸収する構成としている。また、外槽３の内部には、衣類を収容する内槽４を中空で２重構造とした洗濯・脱水軸５を中心に回転可能に配設し、内槽４の内底部に衣類を攪拌する回転翼６を回転自在に配設している。また、内槽４の内部周壁には小孔（図示せず）を多数設けるとともに、上方には流体バランサ７を設けている。
【００２８】
駆動手段としてのモータ８は、外槽３の底部に取り付け、洗濯時に回転力の伝達を洗濯・脱水軸５に切り換えるクラッチ９と洗濯・脱水軸５を介して、内槽４または回転翼６に連結している。回転翼６は外周部に外周方向に高くなる傾斜面を有する略Ｗ型の形状をし、攪拌用突出リブを形成いる。
【００２９】
１０は送風機、１１はヒータであり、送風機１０はヒータ１１により加熱された温風を伸縮自在の上部蛇腹状ホース１２を通して温風送風口１３から内槽４内に送風するもので、送風機１０とヒータ１１とで温風送風手段を構成している。１４は一端を外槽３の排水経路口１５に接続した下部蛇腹状ホース１６に接続し、他端を送風機１０に接続した循環路である。
【００３０】
１７は外槽３の底部に固定した排水弁で、下部蛇腹状ホース１６と循環路１４からの排水を排水路１８を通して排水弁１７に導き、排水ホース１９から機外へ排水するように構成している。外槽カバー２０は外槽３の上面を気密的に覆うもので、この外槽カバー２０に中蓋２１を開閉自在に設け、衣類の出し入れを行うようにしている。２２は内槽４内に上方からスチームを供給するスチーム供給装置である。
【００３１】
上記構成において動作を説明する。衣類の脱臭を行うときは、衣類を回転翼６の上に形を整えて置き、スチーム供給装置２２から内槽４内にスチームを供給するとともに、送風機１０を駆動しヒータ１１によって加熱された温風を内槽４内へ送風する。これにより、衣類についている臭いは、水分が衣類から蒸発するときに水分とともに衣類から取り去ることができる。そして、繊維に浸透した水分を蒸発させることにより、水分とともに臭いを衣類から取り去ることができ、衣類を洗濯することなく衣類の脱臭を行うことができる。
【００３２】
このとき、衣類に対して必要かつ十分な水分がスチームによって供給できる場合は、スチームと温風を衣類に向けて同時に供給してもよく、また、スチームを衣類に向けて供給し、水分を衣類の繊維に十分浸透させた後、所定時間後に遅れて送風することも考えられる。さらに、スチームの噴出を停止してから所定時間温風を送風することによって、衣類に含んだ水分を確実に除去することができ、着用または保管の利便性を向上する。
【００３３】
なお、上記脱臭行程中に内槽４をゆっくり回転させることで、衣類に万遍なく温風を当てることができる。この場合、回転翼６の上に形を整えて置かれた衣類が乱れない速度で回転させることが好ましい。
【００３４】
（実施例２）
図２は衣類に水分を供給する手段として霧を噴霧する噴霧装置２３を設けたものである。他の構成は上記実施例１と同じである。
【００３５】
この構成によれば、温風送風手段より内槽４内に温風を送風するとともに、噴霧装置２３から霧を噴霧することによって衣類に水分を供給することができる。この場合、霧はスチームより粒子が大きいため、衣類に対して水分の供給が容易であるとともに、霧の噴霧を停止してから所定時間温風を送風することによって、衣類から臭いとともに水分を取り去ることができる。
【００３６】
（実施例３）
図３は内槽４内に外気を取り入れる吸気口２４と、内槽４内の空気を機外へ排出する排気口２５を設けたものである。吸気口２４は送風機１０に連通して形成してあり、送風機１０を駆動することによって外気が取り入れられる。他の構成は上記実施例１と同じである。
【００３７】
この構成によれば、衣類と接触して臭いの成分を含んだ汚れた空気を排気口２５から機外へ排出するため、臭いの成分を含んだ汚れた空気が循環して再び内槽４内供給されることがなく、常に新鮮な外気を吸気口２４から内槽４内に取り入れて、衣類についた臭いを短時間で効率よく取り除くことができる。
【００３８】
（実施例４）
図４は内槽４内の上部に衣類を設置する棚２６を着脱自在に設けたものである。他の構成は上記実施例１または２と同じである。
【００３９】
この構成によれば、衣類の脱臭を行うときは、棚２６を内槽４内の上部に設置して使用することにより、衣類を温風送風口１３の近い位置に置くことができ、衣類についた臭いを短時間で効率よく取り除くことができる。なお、棚２６は洗濯時に内槽４から取り外すことできる。
【００４０】
（実施例５）
図５は内槽４の上部にハンガー装着部２７を設け、内槽４内にハンガー２８にかけた衣類を吊すことができるようにしたものである。他の構成は上記実施例１または２と同じである。
【００４１】
この構成によれば、温風とスチームまたは霧を衣類に向けて万遍なく当てることができ、衣類についた臭いを短時間で効率よく取り除くことができる。
【００４２】
（実施例６）
図６は内槽４内に着脱自在な棒状体２９を任意の間隔で複数設けて衣類を吊すようにしたものである。他の構成は上記実施例１または２と同じである。
【００４３】
この構成によれば、温風とスチームまたは霧との接触面積を多くして、衣類に向けて温風とスチームまたは霧を万遍なく当てることができ、衣類についた臭いを短時間で効率よく取り除くことができる。
【００４４】
（実施例７）
図７は温風温度検知手段３０と、この温風温度検知手段３０により脱臭行程中に温風の温度を所定の温度に制御する制御手段３１を設けたものである。他の構成は上記実施例１または２と同じである。
【００４５】
この構成によれば、温風温度検知手段２８により、温風の温度を制御し、化繊が軟化し始める温度のガラス転位点以下で脱臭行程を行うことで、熱による衣類の傷みを少なくして、衣類についた臭いを短時間で効率よく取り除くことができる。
【００４６】
（実施例８）
図８は芳香手段３２を設け、脱臭行程の最後に芳香剤を噴霧するようにしたものである。他の構成は上記実施例１または２と同じである。
【００４７】
この構成によれば、衣類に好みの香りをつけて一層快適な状態にすることができる。
【００４８】
なお、上記実施例では、一般的な洗濯機について説明したが、例えば従来例として記載した構成の乾燥機能を有する洗濯乾燥機であってもよく、この場合は、脱臭時の温風の送風に、乾燥用の温風送風機を利用してもよい。
【００４９】
【発明の効果】
以上のように本発明のによれば、洗濯機に温風送風手段およびスチーム供給装置を設け、前記温風送風手段からの温風と、スチーム供給装置からのスチームとにより衣類の脱臭を行うようにしたから、家庭で洗濯することが難しい衣類の脱臭が安価で手軽に行うことができ、衣類を快適な状態にして着用または保管することができる。
【図面の簡単な説明】
【図１】本発明の実施例１の洗濯機の断面図
【図２】本発明の実施例２の洗濯機の断面図
【図３】本発明の実施例３の洗濯機の断面図
【図４】本発明の実施例４の洗濯機の断面図
【図５】本発明の実施例５の洗濯機の断面図
【図６】本発明の実施例６の洗濯機の断面図
【図７】本発明の実施例７の洗濯機の断面図
【図８】本発明の実施例８の洗濯機の断面図
【図９】従来の洗濯乾燥機の断面図
【符号の説明】
１  筐体
３  外槽
４  内槽
６  回転翼
８  モータ（駆動手段）
１０  送風機
１１  ヒータ
２２  スチーム供給装置
２３  噴霧装置
【図１】
2004167131.tif 000003
【図２】
2004167131.tif 000004
【図３】
2004167131.tif 000005
【図４】
2004167131.tif 000006
【図５】
2004167131.tif 000007
【図６】
2004167131.tif 000008
【図７】
2004167131.tif 000009
【図８】
2004167131.tif 000010
【図９】
2004167131.tif 000011